(57)【要約】【課題】照明器具の本体の構造を簡素化し、かつ、本体の温度変化に伴う変形の影響を抑制できる照明器具を提供する。【解決手段】照明器具１は、光源２０と、光源２０を覆う透光性の光学部材４０と、光源２０及び光学部材４０が取り付けられる本体１０と、光源２０及び光学部材４０を覆う透光性のカバー５０とを備え、カバー５０は、光学部材４０によって係止される。【選択図】図４
2017054702.tif 000002
【特許請求の範囲】
【請求項１】
光源と、
前記光源を覆う透光性の光学部材と、
前記光源及び前記光学部材が取り付けられる本体と、
前記光源及び前記光学部材を覆う透光性のカバーとを備え、
前記カバーは、前記光学部材によって係止される
照明器具。
【請求項２】
前記カバーは、被係止部を備え、
前記光学部材は、前記被係止部を係止する係止部を備え、
前記被係止部は、前記係止部と前記本体との間に配置される
請求項１に記載の照明器具。
【請求項３】
前記本体は、前記カバーの本体側端部に対向する位置に、前記カバー向きに突出する凸部を備え、
前記本体側端部は、前記凸部が嵌め合せられる凹部を備える
請求項１又は２に記載の照明器具。
【請求項４】
前記カバーは、長尺状の形状を有し、
前記光学部材は、前記カバーの長手方向における位置を規制する規制部を備える
請求項１〜３のいずれか１項に記載の照明器具。
【請求項５】
前記本体は、前記カバー側から見て、略円形の形状を有し、
前記被係止部は、前記本体の略円形状の周縁に沿う位置に配置されている
請求項２又は３に記載の照明器具。
【請求項６】
前記光学部材は、光拡散部材である
請求項１〜５のいずれか１項に記載の照明器具。
【請求項７】
前記光学部材は、蛍光体を含む
請求項１〜６のいずれか１項に記載の照明器具。
【発明の詳細な説明】
【技術分野】
【０００１】
本発明は、照明器具に関する。
【背景技術】
【０００２】
従来、キッチンライト、ベースライトなどの照明器具において、光源を覆う透光性のカバーが用いられている（例えば、特許文献１参照）。
【０００３】
特許文献１に開示された照明器具では、アルミニウム製の長尺状の本体に、ＬＥＤ（Ｌｉｇｈｔ  Ｅｍｉｔｔｉｎｇ  Ｄｉｏｄｅ）からなる光源が取り付けられている。また、本体には光源を覆う樹脂製の透光性カバーが取り付けられる。本体には、カバーを係止するための凹部（溝部）が長手方向に沿って設けられている。当該凹部にカバーの端部を嵌めることによって、カバーが本体に係止される。
【先行技術文献】
【特許文献】
【０００４】
【特許文献１】特開２０１５−２６４９３号公報
【発明の概要】
【発明が解決しようとする課題】
【０００５】
しかしながら、特許文献１に開示された照明器具では、本体の長手方向に沿って設けられた凹部により、本体の構造が複雑化されている。また、本体の長手方向に沿って設けられた凹部の形状及び位置の加工精度が低い場合には、カバーを係止できないことがあるため、本体の凹部を精度よく加工する必要がある。さらに、本体は、ＬＥＤで発生する熱に伴う温度変化によって、変形する場合がある。これにより、本体の凹部も変形するため、凹部とカバーとの間において軋み音が発生することがある。また、本体の変形により、凹部に対するカバーの相対位置がずれることがあり得る。
【０００６】
本発明の一態様は、このような問題を解決するためになされたものであり、照明器具の本体の構造を簡素化し、かつ、本体の温度変化に伴う変形の影響を抑制できる照明器具を提供することを目的とする。
【課題を解決するための手段】
【０００７】
上記目的を達成するために、本発明に係る照明器具の一態様は、光源と、前記光源を覆う透光性の光学部材と、前記光源及び前記光学部材が取り付けられる本体と、前記光源及び前記光学部材を覆う透光性のカバーとを備え、前記カバーは、前記光学部材によって係止される。
【発明の効果】
【０００８】
本発明の一態様によれば、照明器具の本体の構造を簡素化し、かつ、本体の温度変化に伴う変形の影響を抑制できる照明器具を提供することができる。
【図面の簡単な説明】
【０００９】
【図１】図１は、実施の形態１に係る照明器具の外観を示す斜視図である。
【図２】図２は、実施の形態１に係る照明器具の分解斜視図である。
【図３】図３は、実施の形態１に係る照明器具の断面図である。
【図４】図４は、実施の形態１に係る照明器具の断面の要部拡大図である。
【図５】図５は、実施の形態１に係る光学部材及びカバーの長手方向端部の構造を示す斜視図である。
【図６】図６は、実施の形態２に係る照明器具の外観を示す斜視図である。
【図７】図７は、実施の形態２に係る照明器具の外観を示す平面図である。
【図８】図８は、実施の形態２に係る照明器具の断面図である。
【発明を実施するための形態】
【００１０】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
（実施の形態１）
［１−１．全体構成］
まず、実施の形態１に係る照明器具の全体構成について、図１〜図３を用いて説明する。
【００１３】
図１は、本実施の形態に係る照明器具１の外観を示す斜視図である。
【００１４】
図２は、本実施の形態に係る照明器具１の分解斜視図である。
【００１５】
図３は、本実施の形態に係る照明器具１の断面図である。図３は、図１に示されるＩＩＩ−ＩＩＩ断面図である。
【００１６】
なお、各図において、照明器具１の長手方向をｘ軸方向、照明器具１の長手方向に直交する二つの方向をｙ軸方向及びｚ軸方向としている。本実施の形態において、ｙ軸方向は、鉛直方向である。
【００１７】
図１に示されるように、本実施の形態に係る照明器具１は、長尺状の照明器具である。本実施の形態では、照明器具１は、例えば台所、納戸などで使用される多目的灯である。
【００１８】
照明器具１は、図２及び図３に示されるように、本体１０、光源２０、光学部材４０、カバー５０及びエンドカバー６０を備える。以下、照明器具１の各構成要素について説明する。
【００１９】
［１−１−１．本体］
本体１０は、図２及び図３に示されるように、光源２０及び光学部材４０が取り付けられる長尺状の筐体である。本体１０は、図２のｙ軸方向負側に、光源２０及び光学部材４０を取り付けるための取付面１０２を有する。
【００２０】
図２に示されるように、本体１０は、電力出力部１５及び主スイッチ部１６を備える。また、本体１０の内部には、外部電源（不図示）から供給される交流電力を直流電力に変換する電源回路（不図示）が内蔵されている。このように、本体１０には光源２０、電源回路などの発熱部品が取り付けられるため、本体１０を形成する材料としては、熱伝導性に優れたアルミニウムなどの金属材料が用いられる。
【００２１】
本体１０は、天井などの被取付部に木ねじなどを用いて取り付けられる。図２に示されるように、本体１０には、長手方向（ｘ軸方向）の両端部に木ねじを挿入するための挿入孔１８が形成されている。本体１０は、挿入孔１８に挿入された木ねじを被取付部に捻じ込むことによって被取付部に取り付けられる。
【００２２】
電力出力部１５は、交流電力を出力するアウトレットである。電力出力部１５には、照明器具１に外部から入力される交流電力が供給される。
【００２３】
主スイッチ部１６は、照明器具１の点消灯を切り替えるためのスイッチである。主スイッチ部１６がオン状態であれば、光源２０に電源回路（不図示）から電力が供給され、光源２０が点灯する。主スイッチ部１６がオフ状態であれば、電源回路への電力供給が行われず、光源２０は消灯状態となる。
【００２４】
［１−１−２．光源］
光源２０は、照明器具１の照明光を出射する発光部である。本実施の形態では、光源２０は、図２に示されるように、基板２２、複数の発光素子２４及び一対の接続端子２３を備える。光源２０は、本体１０の取付面１０２にねじ３０を用いて取り付けられる。
【００２５】
基板２２は、一方の主面に複数の発光素子２４が配置される長方形状の基板である。基板２２は、樹脂をベースとする樹脂基板である。樹脂基板としては、例えば、ガラス繊維とエポキシ樹脂とからなるガラスエポキシ基板、又は、紙フェノールや紙エポキシからなる基板等を用いることができる。なお、基板２２として、セラミック基板などを用いてもよい。
【００２６】
発光素子２４は、光源２０の発光部である。本実施の形態では、発光素子２４は、基板２２の一方の主面に配置される。図５に示されるように、本実施の形態において、複数の発光素子２４は、基板２２の長手方向（ｘ軸方向）に沿って、基板２２の幅方向（ｚ軸方向）の略中央に直線状に一列で実装されているが、複数の発光素子２４のレイアウトは、これに限定されない。例えば、複数の発光素子２４は二列で実装されていてもよい。
【００２７】
本実施の形態に係る各発光素子２４は、ＬＥＤチップと蛍光体とがパッケージ化された、いわゆる表面実装（ＳＭＤ：Ｓｕｒｆａｃｅ  Ｍｏｕｎｔ  Ｄｅｖｉｃｅ）型の発光素子である。本実施の形態に係る各発光素子２４は、白色光を発する白色ＬＥＤである。なお、発光素子２４の発光色は白色に限定されない。例えば、電球色などでもよい。
【００２８】
なお、図示しないが、発光素子２４は、正極及び負極の２つの電極端子を有しており、これらの電極端子と、基板２２の発光素子２４が配置される側（ｙ軸方向負側）の主面上にパターン形成された金属配線（金属パターン）とが電気的に接続されている。つまり、金属配線は、発光素子２４と電気的に接続されている。
【００２９】
一対の接続端子２３は、光源２０の外部から発光素子２４を発光させるための電力の供給を受ける端子である。一対の接続端子２３には、それぞれ、発光素子２４に電力を供給する電力供給線（不図示）が接続される。一対の接続端子２３と、基板２２の主面に形成された金属配線とは電気的に接続されている。
【００３０】
［１−１−３．光学部材］
光学部材４０は、光源２０を覆う透光性の光学部材である。光学部材４０は、透光性材料を用いて形成することができ、例えば、アクリルやポリカーボネート等の樹脂材料又はガラス材料を用いて形成することができる。なお、光学部材４０は、樹脂材料などの絶縁材料から構成されることが好ましい。これにより、光源２０と外部との絶縁性能を向上させることができる。
【００３１】
本実施の形態では、光学部材４０は、光拡散部材である。光学部材４０において、光拡散機能を付与するために、例えば、シリカや炭酸カルシウム等の光拡散材（微粒子）が分散された樹脂材料等を用いて光学部材４０を成型すればよい。あるいは、光学部材４０の内面又は外面に光拡散シート又は光拡散膜を形成してもよい。具体的には、光拡散材を含有する樹脂又は白色顔料を光学部材４０の内面又は外面に付着させることで、乳白色の光拡散膜を形成することができる。
【００３２】
その他に、光学部材４０の内部又は外部に設けられたレンズ構造物、あるいは、光学部材４０に形成された凹部又は凸部を設けることによって、光学部材４０に光拡散機能を持たせることもできる。例えば、光学部材４０の内面又は外面にドットパターンを印刷したり、光学部材４０の一部を加工したりすることができる。
【００３３】
このように、光学部材４０に光拡散機能を持たせることによって、発光素子２４から出射された光を、光学部材４０を通過する際に拡散させることができる。特に、本実施の形態のように発光素子２４が離間して配置されている場合、光の粒状感（輝度ばらつき）が発生し得るが、光学部材４０に光拡散機能を持たせることで、粒状感を抑制することができる。
【００３４】
図３に示されるように、光学部材４０は、断面が略半円形の長尺状の部材である。光学部材４０は、長手方向（ｘ軸方向）の両端部に、ｚ軸方向に突出する固定部４２を備える。図２に示されるように、固定部４２には、貫通孔が形成されており、ねじ３２を当該貫通孔に挿入して本体１０の取付面１０２に形成されたねじ穴に捻じ込むことにより、光学部材４０は本体１０に取り付けられる。なお、光学部材４０は、図２に示されるように、長手方向の両端部以外に固定部４４を備えてもよい。本実施の形態では、図３に示されるように、固定部４４は、係止爪４４２を備え、係止爪４４２が取付面１０２に形成された係止孔１２に係止される。係止孔１２は、本体突起部１３を備え、係止爪４４２が、本体突起部１３にスナップ方式で係止される。これにより、固定部４４が本体１０に安定的、かつ、容易に係止される。
【００３５】
また、光学部材４０は、カバー５０を係止するための構成を有する。当該構成については、後述する。
【００３６】
なお、光学部材４０は、例えば、蛍光体を含んでもよい。これにより、発光素子２４から出射された照明光を波長変換して、所望の波長分布を有する照明光を照射することができる。
【００３７】
［１−１−４．カバー］
カバー５０は、光源２０及び光学部材４０を覆う透光性のカバーである。図２及び図３に示されるように、カバー５０は、断面が略Ｕ字型の長尺状の部材である。
【００３８】
カバー５０を形成する材料としては、例えば、光学部材４０と同様の材料を用いることができる。
【００３９】
なお、発光素子２４からの光を拡散させるために、カバー５０に光拡散機能を持たせてもよい。光拡散機能を持たせるための構成は、光学部材４０と同様である。
【００４０】
カバー５０は、光学部材４０によって係止される。当該係止構成については、後述する。
【００４１】
［１−１−５．エンドカバー］
エンドカバー６０は、本体１０の長手方向（ｘ軸方向）の端部を覆う部材である。エンドカバー６０を形成する材料としては、例えば、カバー５０と同様の材料を用いることができる。
【００４２】
エンドカバー６０は、本体１０によって係止される。エンドカバー６０の係止構成は特に限定されない。エンドカバー６０は、例えば、ねじなどによって、本体１０に固定されてもよい。
【００４３】
［１−２．カバーの係止構成］
次に、本実施の形態に係るカバー５０の係止構成について説明する。
【００４４】
［１−２−１．長手方向に垂直な方向における係止構成］
まず、カバー５０の長手方向に垂直な方向における係止構成について、図４を用いて説明する。
【００４５】
図４は、本実施の形態に係る照明器具１の断面の要部拡大図である。図４では、図３の破線枠部が拡大されて示されている。
【００４６】
図４に示されるように、カバー５０は、本体１０に対向する位置に本体側端部５２を備える。本体側端部５２には被係止部５２１が設けられている。被係止部５２１は、カバー５０の本体側端部５２において、内側（言い換えると、光学部材４０側）に突出する突出部である。
【００４７】
図４に示されるように、光学部材４０は、固定部４４のｚ軸方向における端部に係止部４４４を備える。係止部４４４は、光学部材４０のｚ軸方向端部に設けられ、カバー５０側に突出する突出部である。
【００４８】
本実施の形態では、図４に示されるように、カバー５０の被係止部５２１は、光学部材４０の係止部４４４と本体１０との間に配置される。つまり、カバー５０の被係止部５２１は、光学部材４０の係止部４４４と本体１０との間で挟まれる。これにより、カバー５０の被係止部５２１は、図４のｙ軸方向（鉛直方向）への移動が規制される。このように、カバー５０の被係止部５２１は光学部材４０の係止部４４４によってｙ軸方向に係止される。
【００４９】
また、カバー５０及び光学部材４０は、図４のｚ軸方向正側の端部においても同様に、それぞれ、被係止部５２１及び係止部４４４を備える。このため、カバー５０は、図４のｚ軸方向においても、光学部材４０によって移動が規制される。このように、カバー５０は、光学部材４０によって、ｚ軸方向に係止される。
【００５０】
以上のように、本実施の形態に係る照明器具１においては、ｙ軸方向及びｚ軸方向、つまり、カバー５０の長手方向（ｘ軸方向）に垂直な方向に係止される。
【００５１】
また、本実施の形態では、被係止部５２１は、係止部４４４と本体１０との間に配置される。これにより、例えば、スナップ方式などによって、被係止部５２１を係止部４４４と本体１０との間に配置することによって、被係止部５２１を係止することができる。つまり、容易に被係止部５２１を係止することができる。
【００５２】
また、図４に示されるように、本体１０は、カバー５０の本体側端部５２に対向する位置にカバー５０向きに突出する凸部１１を備える。本体１０の凸部１１は、本体１０の長手方向（ｘ軸方向）に沿って設けられている。一方、カバー５０の本体側端部５２は、凸部１１が嵌め合せられる凹部５２２を備える。凸部１１及び凹部５２２は、カバー５０の内部に虫が進入することを抑制するための構成である。本体１０及びカバー５０は、凸部１１と凹部５２２との間の隙間が十分に狭くなるように形成される。当該隙間は、例えば、約０．３ｍｍ以下である。これにより、本実施の形態のように、本体１０によって、カバー５０を係止しない構成においても、カバー５０の内部に虫が進入することを十分に抑制できる。
【００５３】
なお、図示しないが、光学部材４０は、長手方向の両端部における固定部４２にも、固定部４４と同様に、係止部を備え、カバー５０の被係止部５２１を係止する。つまり、本実施の形態では、光学部材４０は、長手方向の三か所において、カバー５０の被係止部５２１を係止する。これにより、カバー５０は、光学部材４０によって安定的に係止される。このように、本実施の形態では、本体１０にカバー５０を係止するための構造を設けないため、本体１０の構造を簡素化できる。また、本実施の形態では、カバー５０は、光学部材４０によって、長手方向の三か所だけで係止されるため、本体１０の温度変化に伴う変形によって、カバー５０が受ける影響が抑制される。
【００５４】
［１−２−２．長手方向における係止構成］
次に、カバー５０の長手方向における係止構成について、図５を用いて説明する。
【００５５】
図５は、本実施の形態に係る光学部材４０及びカバー５０の長手方向端部の構造を示す斜視図である。図５では、エンドカバー６０が外された状態の照明器具１が示されている。
【００５６】
本実施の形態に係るカバー５０は、図２などに示されるとおり、長尺状の形状を有する。光学部材４０は、図５に示されるように、長尺状のカバー５０の長手方向における位置を規制する規制部４２２を備える。規制部４２２は、カバー５０の被係止部５２１の長手方向への移動を規制する。なお、光学部材４０は、図５に示されるｘ軸方向正側の端部だけでなく、ｘ軸方向負側の端部にも規制部４２２を備える。これにより、光学部材４０は、カバー５０の長手方向における移動を規制する。以上のように、光学部材４０の規制部４２２は、カバー５０の長手方向における位置を規制する。つまり、光学部材４０の規制部４２２は、カバー５０を長手方向において係止する。これにより、カバー５０が照明器具１から離脱することを抑制することができる。
【００５７】
［１−３．まとめ］
以上のように、本実施の形態に係る照明器具１は、光源２０と、光源２０を覆う透光性の光学部材４０と、光源２０及び光学部材４０が取り付けられる本体１０と、光源２０及び光学部材４０を覆う透光性のカバー５０とを備える。カバー５０は、光学部材４０によって係止される。
【００５８】
これにより、本体１０にカバー５０を係止するための構造を設けないため、本体１０の構造を簡素化できる。また、本実施の形態では、カバー５０は、光学部材４０によって係止されるため、本体１０の温度変化に伴う変形によって、カバー５０が受ける影響を抑制できる。
【００５９】
また、照明器具１において、カバー５０は、被係止部５２１を備え、光学部材４０は、被係止部５２１を係止する係止部４４４を備え、被係止部５２１は、係止部４４４と本体１０との間に配置されてもよい。
【００６０】
これにより、例えば、スナップ方式などによって、被係止部５２１を係止部４４４と本体１０との間に配置することによって、被係止部５２１を係止することができる。つまり、カバー５０を光学部材４０に係止させる作業を簡易化することができる。
【００６１】
また、照明器具１において、本体１０は、カバー５０の本体側端部５２に対向する位置に、カバー５０向きに突出する凸部１１を備え、本体側端部５２は、凸部１１が嵌め合せられる凹部５２２を備えてもよい。
【００６２】
これにより、本実施の形態のように、本体１０によって、カバー５０を係止しない構成においても、本体１０とカバー５０との隙間からカバー５０の内部に虫が進入することを抑制できる。
【００６３】
また、照明器具１において、カバー５０は、長尺状の形状を有し、光学部材４０は、カバー５０の長手方向における位置を規制する規制部４２２を備えてもよい。
【００６４】
これにより、カバー５０が照明器具１の長手方向に離脱することを抑制できる。
【００６５】
また、照明器具１において、光学部材４０は、光拡散部材であってもよい。
【００６６】
これにより、発光素子２４から出射された光を、光学部材４０を通過する際に拡散させることができる。特に、本実施の形態のように光源２０の発光素子２４が離間して配置されている場合、光の粒状感（輝度ばらつき）が発生し得るが、光学部材４０に光拡散機能を持たせることで、粒状感を抑制できる。
【００６７】
また、照明器具１において、光学部材４０は、蛍光体を含んでもよい。
【００６８】
これにより、光源２０の発光素子２４から出射された照明光を波長変換して、所望の波長分布を有する照明光を照射することができる。
【００６９】
（実施の形態２）
次に、実施の形態２に係る照明器具について説明する。実施の形態１に係る照明器具１は、長尺状の形状を有したが、本実施の形態に係る照明器具は、略円筒状の形状を有する。以下、本実施の形態に係る照明器具について、実施の形態１に係る照明器具１との相違点を中心に説明する。
【００７０】
［２−１．全体構成］
まず、本実施の形態に係る照明器具の全体構成について、図６〜図８を用いて説明する。
【００７１】
図６は、本実施の形態に係る照明器具１ａの外観を示す斜視図である。
【００７２】
図７は、本実施の形態に係る照明器具１ａの外観を示す平面図である。
【００７３】
図８は、本実施の形態に係る照明器具１ａの断面図である。図８は、図７に示されるＶＩＩＩ−ＶＩＩＩ断面図である。
【００７４】
図６及び図７に示されるように、照明器具１ａは、略円筒状の形状を有する。本実施の形態では、照明器具１ａは、シーリングライトである。
【００７５】
図７に示されるように、照明器具１ａは、複数の光源２０ａ及び２１、光学部材４０ａ、並びに、カバー５０ａを備える。また、図８に示されるように、照明器具１ａは、本体１０ａを備える。
【００７６】
本体１０ａは、光源２０ａ及び２１並びに光学部材４０ａが取り付けられる筐体である。本実施の形態では、本体１０ａは、カバー５０ａ側から見て、略円形の形状を有する。
【００７７】
光源２０ａ及び２１は、照明器具１ａの照明光を出射する発光部である。本実施の形態では、光源２１は、光学部材４０ａによって覆われない。なお、光源２１は、光学部材によって覆われてもよい。
【００７８】
光源２０ａは、図８に示されるように、基板２２ａ及び発光素子２４ａを備える。なお、図示されないが、光源２０ａは、実施の形態１に係る光源２０と同様に接続端子を備える。光源２０ａは、ねじ３０ａを用いて本体１０ａの取付面１０２ａに取り付けられる。本実施の形態では、基板２２ａは例えば円形である。なお、基板２２ａは、複数の光源２０ａで共用されてもよい。例えば、基板２２ａとして、本体１０ａの円形の周縁に沿って配置される円環状の基板を用いてもよい。光源２０ａのその他の構成は、実施の形態１に係る光源２０と同様である。
【００７９】
光源２１は、光源２０ａと同様の構成を備える。
【００８０】
光学部材４０ａは、光源２０ａを覆う透光性の光学部材である。光学部材４０ａは、その形状において、実施の形態１に係る光学部材４０と相違する。光学部材４０ａは、略半球面状の形状を有する。また、光学部材４０ａは、二つの固定部４４ａを備える。固定部４４ａは、係止爪４４２ａを備え、係止爪４４２ａが取付面１０２ａに形成された係止孔１２ａに係止される。係止孔１２ａは、本体突起部１３ａを備え、係止爪４４２ａが、本体突起部１３ａにスナップ方式で係止される。これにより、固定部４４ａが本体１０ａに安定的、かつ、容易に係止される。
【００８１】
カバー５０ａは、光源２０ａ及び２１並びに光学部材４０ａを覆う透光性のカバーである。図６〜図８に示されるように、カバー５０ａは、有底筒状の部材である。
【００８２】
［２−２．カバーの係止構成］
続いて、本実施の形態に係るカバー５０ａの係止構成について、図８を用いて説明する。
【００８３】
図８に示されるように、カバー５０ａは、実施の形態１に係るカバー５０と同様に、本体１０ａに対向する位置に本体側端部５２ａを備える。本体側端部５２ａには被係止部５２１ａが設けられている。本実施の形態では、本体側端部５２ａは、本体１０ａの略円形状の周縁に沿う略円環状の形状を有する。また、本体側端部５２ａに設けられた被係止部５２１ａは、本体１０ａの略円形状の周縁に沿う位置に配置されている。
【００８４】
図８に示されるように、光学部材４０ａは、実施の形態１に係る光学部材４０と同様に、固定部４４ａのｚ軸方向負側の端部に係止部４４４ａを備える。
【００８５】
本実施の形態では、図７に示されるように、複数の光学部材４０ａが、カバー５０ａの周縁に沿って配置されている。複数の光学部材４０ａは、それぞれ係止部４４４ａを備える。これにより、カバー５０ａの周縁に設けられた円環状の被係止部５２１ａが複数の係止部４４４ａに係止される。このように、本実施の形態に係るカバー５０ａは、光学部材４０ａによって係止される。
【００８６】
これにより、本実施の形態においても、本体１０ａにカバー５０ａを係止するための構造を設けないため、本体１０ａの構造を簡素化できる。また、本実施の形態では、カバー５０ａは、複数の光学部材４０ａが配置された位置だけで係止されるため、本体１０ａの温度変化に伴う変形によって、カバー５０ａが受ける影響が抑制される。
【００８７】
また、本実施の形態においても、カバー５０ａ内への虫の進入を抑制する構成を備える。図８に示されるように、本体１０ａは、カバー５０ａの本体側端部５２ａに対向する位置にカバー５０ａ向きに突出する凸部１１ａを備える。本体１０ａの凸部１１ａは、本体１０ａの周縁に沿って略円環状に設けられている。一方、カバー５０ａの本体側端部５２ａは、凸部１１ａが嵌め合せられる凹部５２２ａを備える。本体１０ａ及びカバー５０ａは、凸部１１ａと凹部５２２ａとの間の隙間が十分に狭くなるように形成される。当該隙間は、例えば、約０．３ｍｍ以下である。これにより、本実施の形態のように、本体１０ａによって、カバー５０ａを係止しない構成においても、カバー５０ａの内部に虫が進入することを十分に抑制できる。
【００８８】
なお、本実施の形態では、光学部材４０ａは、八個設けられたが、光学部材４０ａは複数であればよい。また、複数の光学部材４０ａは、被係止部５２１ａに沿って等間隔に配置されることが好ましい。
【００８９】
また、本実施の形態において、光学部材４０ａが蛍光体を含んでもよい。これにより、光学部材４０ａに覆われた光源２０ａと、光学部材４０ａに覆われない光源２１とから互いに異なる波長分布を有する照明光を得ることができる。
【００９０】
また、本実施の形態において、被係止部５２１ａとして、カバー５０ａの周縁部の内側に雌ねじを形成し、複数の係止部４４４ａに当該雌ねじに対応するねじ山を形成してもよい。これにより、カバー５０ａを光学部材４０ａに螺合させることができる。このような係止構成を採用することによって、より安定的にカバー５０ａを光学部材４０ａに係止することができる。
【００９１】
［２−３．まとめ］
以上のように、本実施の形態に係る照明器具１ａは、本体１０ａは、カバー５０ａ側から見て、略円形の形状を有し、被係止部５２１ａは、本体１０ａの略円形状の周縁に沿う位置に配置されている。
【００９２】
これにより、略円筒状の照明器具１ａにおいても、本体１０ａの構造を簡素化でき、かつ、本体１０の温度変化に伴う変形に伴うカバー５０ａが受ける影響を抑制できる。
【００９３】
（変形例）
以上、本発明に係る照明器具について、実施の形態に基づいて説明したが、本発明は、上記実施の形態に限定されるものではない。
【００９４】
例えば、上記実施の形態に係る光源２０においてＳＭＤ型の発光素子を用いたが、光源２０において用いられる発光素子はこれに限定されない。例えば、ＣＯＢ（Ｃｈｉｐ  Ｏｎ  Ｂｏａｒｄ）構造のＬＥＤモジュールを用いてもよい。
【００９５】
また、上記実施の形態では、発光素子としてＬＥＤを例示したが、発光素子としては、半導体レーザ等の半導体発光素子、又は、有機ＥＬ（Ｅｌｅｃｔｒｏ  Ｌｕｍｉｎｅｓｃｅｎｃｅ）や無機ＥＬ等のその他の固体発光素子を用いてもよい。
【００９６】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００９７】
１、１ａ  照明器具
１０、１０ａ  本体
１１、１１ａ  凸部
２０、２０ａ、２１  光源
４０、４０ａ  光学部材
５０、５０ａ  カバー
５２、５２ａ  本体側端部
４２２  規制部
４４４、４４４ａ  係止部
５２１、５２１ａ  被係止部
５２２、５２２ａ  凹部
【図１】
2017054702.tif 000003
【図２】
2017054702.tif 000004
【図３】
2017054702.tif 000005
【図４】
2017054702.tif 000006
【図５】
2017054702.tif 000007
【図６】
2017054702.tif 000008
【図７】
2017054702.tif 000009
【図８】
2017054702.tif 000010